(57)【要約】【課題】扉のずれを抑制して意匠性の高い冷蔵庫を提供する。【解決手段】冷蔵庫本体の正面において扉を開閉自在に回動させる上ヒンジ１０Ａ，１０Ｂを備えた冷蔵庫において、冷蔵庫本体は、上ヒンジ１０Ａ，１０Ｂを当該冷蔵庫本体の天板１ａに固定する金属製の補強部材４０Ａ，４０Ｂを有し、補強部材４０Ａ，４０Ｂは、天板１ａの前後方向の中央よりも後方まで延びている。補強部材４０Ａは、水平面部の縁部を折り返して形成された折り返し部を有する。【選択図】図２
2019100649.tif 000002
【特許請求の範囲】
【請求項１】
冷蔵庫本体の正面において扉を開閉自在に回動させるヒンジを備えた冷蔵庫において、
前記冷蔵庫本体は、前記ヒンジを当該冷蔵庫本体の天板に固定する補強部材を有し、
前記補強部材は、前記天板の前後方向の中央よりも後方まで延びていることを特徴とする冷蔵庫。
【請求項２】
冷蔵庫本体の正面において隣接して設けられる第一の回転扉および第二の回転扉と、
前記第一の回転扉に設けられる回転仕切体と、
前記回転仕切体に設けられるヒータと、
前記ヒータと接続される電線と、
前記第一の回転扉を開閉自在に回動させるヒンジと、を備えた冷蔵庫において、
前記冷蔵庫本体は、前記ヒンジを当該冷蔵庫本体の天板に固定する補強部材を有し、
前記天板には、前記電線のコネクタが収容される収容部が設けられ、
前記補強部材は、前記収容部を越えて後方まで延びていることを特徴とする冷蔵庫。
【請求項３】
前記補強部材は、前記天板に沿って水平に配置される水平面部と、前記冷蔵庫本体の側板に沿って配置される垂直面部と、を有し、
前記水平面部の左右方向の幅寸法は、前記垂直面部の高さ方向の幅寸法よりも長く形成され、
前記水平面部には、前記ヒンジを固定するねじ孔が形成されていることを特徴とする請求項１または請求項２に記載の冷蔵庫。
【請求項４】
前記ねじ孔は、前記水平面部の幅方向の中央よりも前記垂直面部寄りに形成されていることを特徴とする請求項３に記載の冷蔵庫。
【請求項５】
前記補強部材は、前記水平面部の縁部を折り返して形成された折り返し部を有することを特徴とする請求項３または請求項４に記載の冷蔵庫。
【発明の詳細な説明】
【技術分野】
【０００１】
本発明は、冷蔵庫に関する。
【背景技術】
【０００２】
特許文献１には、冷蔵庫の剛性を高めるために、外箱の角部内側にＬ字に曲げられた補強部材を配置することが記載されている。
【先行技術文献】
【特許文献】
【０００３】
【特許文献１】特開２０１４−１２６２１９号公報
【発明の概要】
【発明が解決しようとする課題】
【０００４】
しかしながら、前記した特許文献１には、扉を開閉自在に回動させるヒンジの固定方法については何ら開示されていない。発明者らは、分析の結果、ヒンジを介して加わる扉の荷重によって、天板や側板が局所的に変形し、ヒンジの取付面が変形することで、扉に段差（ずれ）を生じさせる可能性があることを見出した。例えば、左側の回転扉と右側の回転扉との間で段差を生じるようなずれが発生する。
【０００５】
本発明は、扉のずれを抑制して意匠性の高い冷蔵庫を提供することを目的とする。
【課題を解決するための手段】
【０００６】
本発明は、冷蔵庫本体の正面において扉を開閉自在に回動させるヒンジを備えた冷蔵庫において、前記冷蔵庫本体は、前記ヒンジを当該冷蔵庫本体の天板に固定する金属製の補強部材を有し、前記補強部材は、前記天板の前後方向の中央よりも後方まで延びていることを特徴とする。
【発明の効果】
【０００７】
本発明によれば、扉のずれを抑制して意匠性の高い冷蔵庫を提供できる。
【図面の簡単な説明】
【０００８】
【図１】本実施形態に係る冷蔵庫を示す外観斜視図である。
【図２】本実施形態に係る冷蔵庫の補強部材の配置を示す分解斜視図である。
【図３】冷蔵室右扉の上ヒンジの構造を示し、（ａ）は外観図、（ｂ）はヒンジカバーを取り外した状態を示す斜視図である。
【図４】冷蔵室右扉の上エンドピースの構造を示し、（ａ）は外観図、（ｂ）は（ａ）のＡ−Ａ断面図である。
【図５】冷蔵室右扉の脱落防止構造を示す斜視図である。
【図６】図５のＢ−Ｂ断面図である。
【図７】冷蔵室右扉に負荷を与えたときの補強無しの冷蔵庫の変形を模式的に示す図である。
【図８】補強部材を示し、（ａ）は斜視図、（ｂ）は平面図、（ｃ）は（ｂ）のＣ−Ｃ断面図である。
【図９】補強部材と真空断熱材との位置関係を示す透視斜視図である。
【図１０】図１のＤ−Ｄ断面図である。
【図１１】回転仕切体を示し、（ａ）は外観斜視図、（ｂ）は回転仕切体の蓋を取り外した状態を示す斜視図である。
【図１２】本実施形態に係る冷蔵庫の冷蔵室左扉の上ヒンジの構造を示す一部切欠断面斜視図である。
【発明を実施するための形態】
【０００９】
以下、本発明を実施するための形態（本実施形態）を説明する。ただし、本実施形態は、以下の内容に何ら制限されず、本発明の要旨を損なわない範囲内で任意に変更して実施可能である。以下、本実施形態として、６ドアタイプの冷蔵庫１００を例に挙げて説明するが、ドアの数は限定されない。また、本実施形態として、回転式の冷蔵室左扉２（第一の回転扉、扉）と冷蔵室右扉３（第二の回転扉、扉）を備えた冷蔵庫１００を例に挙げて説明するが、回転式の１枚の冷蔵室扉を備えた冷蔵庫に適用してもよい。また、以下では、図１に示す方向を基準として説明する。
【００１０】
図１は、本実施形態に係る冷蔵庫を示す外観斜視図である。図１に示す冷蔵庫１００は、冷蔵庫本体１の正面に、冷蔵室左扉２と、冷蔵室右扉３と、製氷室扉４と、冷凍室上段扉５と、冷凍室下段扉６と、野菜室扉７と、を備えている。冷蔵室左扉２の上部には上ヒンジ１０Ｂが設けられ、下部には下ヒンジ９が設けられている。また、冷蔵室右扉３の上部には上ヒンジ１０Ａが設けられ、下部には下ヒンジ１１が設けられている。
【００１１】
冷蔵室左扉２は、上ヒンジ１０Ｂおよび下ヒンジ９により、冷蔵庫本体１の左端を支点として紙面手前方向に回転可能になっている。さらに、冷蔵室右扉３は、上ヒンジ１０Ａおよび下ヒンジ１１により、冷蔵庫本体１の右端を支点として紙面手前方向に回転可能になっている。すなわち、冷蔵室左扉２および冷蔵室右扉３は観音開き可能に備えられ、これらと冷蔵庫本体１とにより形成される空間に、冷蔵室（図示しない）が形成されている。
【００１２】
なお、製氷室扉４、冷凍室上段扉５、冷凍室下段扉６、および野菜室扉７は紙面手前方向に引き出し可能になっている。そして、これらと冷蔵庫本体１とにより形成される空間に、それぞれ、製氷室、上段冷凍室、下段冷凍室および野菜室（いずれも図示しない）が形成されている。
【００１３】
冷蔵室左扉２、冷蔵室右扉３、製氷室扉４、冷凍室上段扉５、冷凍室下段扉６および野菜室扉７は、断熱扉である。各扉２〜７は、例えば、表面に設けられた外板と、外板の周縁に設けられた扉枠と、扉枠の裏面（背面）に設けられた内板と、外板と扉枠と内板とで形成された空間に発泡液を充填することで形成された発泡断熱材と、を備えて構成されている。
【００１４】
発泡断熱材は、硬質ウレタンフォームで形成されている。この硬質ウレタンフォームは、各扉２〜７の内側の空間内に注入したウレタンフォーム原液（発泡断熱材の原料液）が発泡した後、硬化して形成されるものである。ちなみに、ウレタンフォーム原液としては、例えば、ポリエーテルポリオールに、シクロペンタン、水などの発泡剤、さらには触媒、整泡剤などの助剤をプレミックスした液と、イソシアネート液とを混合した液体が挙げられる。
【００１５】
冷蔵庫本体１は、内箱と外箱とを組み合わせたものであり、その間に断熱部材が挟まれ、断熱箱体を構成している。外箱は、薄い鋼板を門型に折り曲げて形成された天板１ａおよび左右の側板１ｂ，１ｃ（左側は図２参照）と、別部材で構成された背板（不図示）と、別部材で構成された底板（不図示）と、によって構成されている。なお、後記する補強部材４０Ａ，４０Ｂは、鋼板を門曲げした後に固定されている。
【００１６】
図２は、本実施形態に係る冷蔵庫の補強部材の配置を示す分解斜視図である。また、図２では、冷蔵室右扉３の一部分解図を示している。また、図２は、冷蔵庫本体１（図１参照）の外箱の天板１ａと左右の側板１ｂ，１ｃのみを示している。
図２に示すように、冷蔵室右扉３の上部には上エンドピース３１が設けられ、冷蔵室右扉３の右側にはサイドピース３２が設けられる。上エンドピース３１およびサイドピース３２は、樹脂材である。また、上エンドピース３１は、冷蔵室右扉３の左端から右端まで延びている。サイドピース３２は、冷蔵室右扉３の上端から下端まで延びている。冷蔵室左扉２は、冷蔵室右扉３よりも幅狭なものであり、上部に上エンドピース３３が設けられ、左側にサイドピース３２が設けられる。
【００１７】
上エンドピース３１の右端部とサイドピース３２の上端部とは、組み合わされて冷蔵室右扉３の右上角部を形成する。上エンドピース３１は、冷蔵室右扉３の上部を略水平に覆って、冷蔵室右扉３の高さを冷蔵庫本体１の天板１ａの上面の高さに揃え、冷蔵庫本体１の美観を向上させる。
【００１８】
また、冷蔵庫本体１（図１参照）は、外箱の一部を構成する天板１ａと右側の側板１ｂとの角部に、補強部材４０Ａが取り付けられる。この補強部材４０Ａは、Ｌ字状に曲げ形成された鉄などの金属製のものであり、天板１ａおよび側板１ｂの内壁面に取り付けられる。なお、図２では、補強部材４０Ａを天板１ａの内壁面から離した状態を示している。また、冷蔵庫本体１の天板１ａの上面１ａ１には、上ヒンジ１０Ａがボルト１１５を介して固定されている。また、上ヒンジ１０Ａは、補強部材４０Ａと一部が上下に重なるようにして配置され、ボルト１１５を介して天板１ａを貫通して、補強部材４０Ａに固定されている。また、天板１ａには、コネクタ収容部１２１を露出させるための角孔１ｓが形成されている。
【００１９】
また、冷蔵庫本体１は、外箱の一部を構成する天板１ａと左側の側板１ｃとの角部に、補強部材４０Ｂが取り付けられている。この補強部材４０Ｂは、補強部材４０Ａと同様に形成され、天板１ａおよび側板１ｃの内壁面に接するように取り付けられる。また、冷蔵庫本体１の天板１ａの上面１ａ１には、上ヒンジ１０Ｂがボルト（不図示）を介して固定されている。
【００２０】
上ヒンジ１０Ａは、上ヒンジ１０Ａと下ヒンジ１１とが相対的に回動する際の回動中心となる上ヒンジ軸である上ヒンジピン（ピボット軸）１１０を備える。また、上ヒンジ１０Ａは、上ヒンジピン１１０を軸支し、上ヒンジ１０Ａを冷蔵庫本体１の天板１ａに固定するための取付部１１１を備える。
【００２１】
上ヒンジピン１１０は、上エンドピース３１とサイドピース３２との接続部において、上エンドピース３１に形成された有底円筒部３１２ｂの内部に上方から挿入される。また、下ヒンジ１１の下ヒンジピン１１２は、下エンドピース３４に形成された有底円筒部３１２ｆの内部に下方から挿入される。
【００２２】
図３は、冷蔵室右扉の上ヒンジの構造を示し、（ａ）は外観図、（ｂ）はヒンジカバーを取り外した状態を示す斜視図である。なお、図３（ａ）、（ｂ）では、補強部材４０Ａを破線で示している。
図３（ａ）に示すように、サイドピース３２は、冷蔵庫１００（図１参照）の正面から側板１ｂの表面に面一で繋がるように湾曲した外曲線部（曲面部）３２１と、サイドピース３２の上端を水平に塞ぐ上端面３２２と、上端面３２２に開口し、上ヒンジ１０Ａの上ヒンジピン１１０（図２参照）を挿通させる半円形の切欠部３２３と、を有する。
【００２３】
外曲線部（曲面部）３２１は、冷蔵室右扉３の開閉時に、冷蔵室右扉３の右端部が冷蔵庫本体１（図１参照）と視覚的に一体感を持たせるように湾曲している。本実施形態では、冷蔵庫１００（図１参照）の横方向の省スペース化および美観上の観点から、曲線形状がよりフラットな形状となっている（正面から見たときに幅広ではなく幅狭な曲線形状となっている）。
【００２４】
上ヒンジ１０Ａには、上ヒンジカバー２０が取り付けられ、上ヒンジ１０Ａの全体が外側から視認できないようになっている。
【００２５】
図３（ｂ）に示すように、上ヒンジ１０Ａは、前後方向に細長く形成され、サイドピース３２の上端面３２２の位置から後方に延びている。
【００２６】
取付部１１１は、厚みのある金属製の板材を曲げ加工して形成されている。また、取付部１１１は、前方に突出した半円形の先頭部１１１ａと、複数のねじ貫通孔１１１ｂと、曲げ剛性を高めるために、断面視で凸状の凸条部１１１ｃと、が形成されている。ねじ貫通孔１１１ｂは、４箇所に形成されている。前側の２箇所のねじ貫通孔１１１ｂ，１１１ｂは左右に離間している。後側の２箇所のねじ貫通孔１１１ｂ，１１１ｂは、同様に、左右に離間している。取付部１１１は、ねじ貫通孔１１１ｂを貫通したねじやボルトにより冷蔵庫本体１の天板１ａに螺着され、さらに補強部材４０Ａに螺着されている。
【００２７】
また、取付部１１１には、前側のねじ貫通孔１１１ｂ、１１１ｂと後側のねじ貫通孔１１１ｂ，１１１ｂとの間に、取付部１１１を貫通する長孔１１１ｄが形成されている。長孔１１１ｄは、左右方向に細長く延びて形成されている。
【００２８】
取付部１１１の先頭部１１１ａは、半円形を構成し、この半円形の先頭部１１１ａの中心部からは上ヒンジピン１１０（図２参照）が下方に突出している。
【００２９】
なお、上ヒンジ１０Ａの取付部１１１の後方には、外気の温度を測定する外気温センサ（図示省略）や外気の湿度を測定する外気湿度センサ（図示省略）を収容するセンサ収容部１２１（収容部）が取り付けられている。上ヒンジ１０Ａおよびセンサ収容部１２１は、上ヒンジカバー２０（図３（ａ）参照）で覆われる。
【００３０】
図４は、冷蔵室右扉の上エンドピースの構造を示し、（ａ）は外観図、（ｂ）は（ａ）のＡ−Ａ断面図である。
図４（ａ）に示すように、上エンドピース３１の右端には、サイドピース３２の上端面３２２（図３（ｂ）参照）の背面に挿入される平板部３１１が形成されている。平板部３１１は、サイドピース３２の外曲線部（曲面部）３２１（図３（ａ）参照）の内面に沿うように湾曲した端面３１１ａが形成されている。また、平板部３１１は、上ヒンジ１０Ａの上ヒンジピン１１０（図３（ｂ）参照）を挿通させる円形の開口部３１１ｂと、補強用リブ３１１ｃとが形成されている。この端面３１１ａは、サイドピース３２の外曲線部３２１（図３（ｂ）参照）のよりフラットな形状に合わせて、曲線形状がよりフラットな形状となっている。
【００３１】
平板部３１１の開口部３１１ｂの外周からは、上方および下方に上ヒンジ１０Ａの上ヒンジピン１１０を収容する円筒形のヒンジピン収容部３１２が突出形成されている。
【００３２】
ヒンジピン収容部３１２は、平板部３１１の上面から上方に突出する円形突出部３１２ａと、平板部３１１の下面から下方に延出する有底円筒部３１２ｂと、を備える。また、ヒンジピン収容部３１２は、有底円筒部３１２ｂ内部の底面から内方（上方）に突出するねじボス３１２ｃ（図４（ｂ）参照）と、ねじボス３１２ｃ内部の底に形成された切り子溜口３１２ｄ（図４（ｂ）参照）と、を備える。また、ヒンジピン収容部３１２は、有底円筒部３１２ｂの外筒底部に形成されたリブ３１２ｅを備える。
【００３３】
ねじボス３１２ｃには、ねじ３１３（棒状部材）が螺着されている。ねじ３１３は、有底円筒部３１２ｂの深さとほぼ同じ軸寸法を有する。ねじ３１３は、サイドピース３２と上エンドピース３１が破断した際に、上ヒンジピン１１０の内壁（後記する図５および図６参照）に引っ掛かって扉脱落を防止するための剛性部材（例えば鉄芯）である。すなわち、ねじ３１３は、部材同士の締結を目的として配置されるものではなく、上ヒンジピン１１０（図２参照）の当該内壁に引っ掛かって扉脱落を防止するための棒状部材である。したがって、ねじ３１３は、剛性の高い棒状部材であればよく、例えば、ねじ３１３に代えて鉄芯等を使用し、この鉄芯等をねじボス３１２ｃに圧入する構成でもよい。また、本実施形態では、ねじ３１３のねじ頭３１３ａがねじボス３１２ｃのねじ挿入端部に接しているが、ねじ３１３を確実に屹立させるものであれば、ねじボス３１２ｃはどのような形状でもよい。
【００３４】
本実施形態では、ヒンジピン収容部３１２の有底円筒部３１２ｂの底部にねじボス３１２ｃを設け、このねじボス３１２ｃにねじ３１３を組み付けることで、上ヒンジピン１１０の内壁への引っ掛かりを簡易な構成で実現することができる。一般に、ねじ止めによる取り付けは、圧入等による取り付けよりも確実性や汎用性があり低コストである。なお、ねじ３１３の組み付けの際の切り子は、そのまま切り子溜口３１２ｄに残留させておけばよく、工数の削減を図ることができる。
【００３５】
また、有底円筒部３１２ｂの外筒底部は、周囲が冷蔵室右扉３の内部に充填される断熱ウレタンに囲まれている。リブ３１２ｅを設けることで、有底円筒部３１２ｂの外筒底部を断熱ウレタンに、より密着させることができる。
【００３６】
図５は、冷蔵室右扉３の脱落防止構造を示す斜視図である。図６は、図４のＢ−Ｂ断面図である。
図５および図６に示すように、上エンドピース３１の右端の平板部３１１がサイドピース３２の上端面３２２で覆われるように組み合わされて冷蔵室右扉３の右上角部が形成される。上エンドピース３１の平板部３１１の開口部３１１ｂ（図４参照）の外周からは、上方および下方に円筒形のヒンジピン収容部３１２（図４参照）が突出している。そして、上エンドピース３１のヒンジピン収容部３１２の円形開口部の上端は、サイドピース３２の上端面３２２に揃えられる。また、上エンドピース３１の平板部３１１の開口部３１１ｂとサイドピース３２の上端面３２２の切欠部３２３とは、上方向から見て上ヒンジピン１１０の軸方向に揃うように重ねられて配置される。
【００３７】
ここで、ヒンジピン収容部３１２の有底円筒部３１２ｂの底部には、ねじボス３１２ｃが突設されており、このねじボス３１２ｃにはねじ３１３が螺着されている。上ヒンジ１０Ａの上ヒンジピン１１０は、ねじ３１３とヒンジピン収容部３１２との間に位置している。
【００３８】
図６に示すように、冷蔵室右扉３に上エンドピース３１およびサイドピース３２が取り付けられた状態で、上ヒンジ１０Ａの上ヒンジピン１１０が、サイドピース３２の切欠部３２３を介して上エンドピース３１のヒンジピン収容部３１２に挿通される。そして、図６に示すように、上ヒンジ１０Ａの取付部１１１のねじ貫通孔１１１ｂをねじ１１５（図２参照）によりねじ止めすることで、上ヒンジ１０Ａが冷蔵庫本体１の天板１ａ（図５参照）に固定される。
【００３９】
図７は、冷蔵室右扉に負荷を与えたときの補強無しの場合の冷蔵庫の変形を模式的に示す図である。なお、補強無しとは、前記した補強部材４０Ａ（図２参照）を取り付けていない場合である。また、図中の矢印は、変形する方向を示し、矢印の長さは、変形の大きさ（変形量）を示している。すなわち、矢印の長さが長い場合には、変形量が大きく、矢印の長さが短い場合には、変形量が小さいことを意味している。
【００４０】
図７に示すように、冷蔵室右扉３に鉛直方向下向きの荷重Ｆ（例えば、１５ｋｇ）を与えた場合（言い換えると、冷蔵室右扉３の内側のポケットに複数のボトル飲料を収納した場合）、上ヒンジ１０Ａの取付面（天板１ａの上面１ａ１）が上向きに大きく変形する。これにより、側板１ｂは、上ヒンジ１０Ａに近い領域Ｒ１が左方向（側板１ｂが内側に倒れる方向）に大きく変形する。この場合、領域Ｒ１の後端は、天板１ａの前後方向の中央よりも前側に位置している。
【００４１】
また、側板１ｂは、領域Ｒ１の周囲の領域Ｒ２が左方向（側板１ｂが内側に倒れる方向）に、領域Ｒ１における変形量よりも小さく変形する。この場合、領域Ｒ２の後端は、天板１ａの前後方向の中央に位置している。また、側板１ｂは、領域Ｒ２の周囲の領域Ｒ３が左方向（側板１ｂが内側に倒れる方向）に、領域Ｒ２における変形量よりも小さく変形する。この場合、領域Ｒ３の後端は、天板１ａの前後方向の中央よりも後方に位置している。また、天板１ａは、領域Ｒ４が鉛直方向下向き（天板１ａが内側に凹む方向）に小さく（領域Ｒ３の変形量と同じ）変形する。領域Ｒ４は、天板１ａと側板１ｂとの角部から左方向（反対側の側板１ｃの方向）に広がっている。
【００４２】
なお、天板１ａの領域Ｒ４を除く領域、側板１ｂの領域Ｒ３の外側の領域は、ほとんど変形しない領域である。また、冷蔵室右扉３は、上ヒンジ１０Ａの取付面が上向きに大きく変形することで、冷蔵室右扉３の前面の全体が前方に飛び出る方向に大きく変形する。
【００４３】
このように、冷蔵室右扉３に下向きの荷重（負荷）Ｆを与えることで、冷蔵室右扉３が下がる方向に変形し且つ前方に飛び出る方向に変形する。このように変形するのは、側板１ｂが内側に引っ張られる（倒れる）と同時に天板１ａも変形することによる。これにより、上ヒンジ１０Ａが正常な形状を維持できなくなり、冷蔵室右扉３が下がる方向に変形するだけでなく前方に向けて変形することになる。本実施形態では、冷蔵室左扉２（図１参照）と、冷蔵室左扉２よりも大きい冷蔵室右扉３の２つの扉が設けられているが、負荷量の違いで冷蔵室右扉３が冷蔵室左扉２よりも下がり易くなり、冷蔵室左扉２と冷蔵室右扉３との間で段差（ずれ）が発生し、意匠性（外観上の美観）が損なわれる。
【００４４】
そこで、発明者らが鋭意実験を重ねた結果、補強部材４０Ａを冷蔵庫本体１に取り付けることで、冷蔵室右扉３のずれを抑えることができることが見出された。以下、補強部材４０Ａの詳細について図８および図９を参照して説明する。図８は、補強部材を示し、（ａ）は斜視図、（ｂ）は平面図、（ｃ）は（ｂ）のＣ−Ｃ断面図である。図９は、補強部材と真空断熱材との位置関係を示す透視斜視図である。
【００４５】
図８（ａ）および図８（ｂ）に示すように、補強部材４０Ａは、天板１ａ（図２参照）の右端に取り付けられるものである。また補強部材４０Ａは、外板の鉄板（例えば、０．５ｍｍ）よりも厚い鉄板（例えば、２．０ｍｍ）で形成されている。
【００４６】
また、補強部材４０Ａは、天板１ａ（図２参照）に沿って水平に配置される水平面部４１と、側板１ｂ（側面）に沿って配置される垂直面部４２と、を有し、Ｌ字に折り曲げ形成されている。水平面部４１の幅寸法Ｗ１は、垂直面部４２の幅寸法（図示高さ方向）Ｗ２よりも長く形成されている。
【００４７】
また、補強部材４０Ａは、水平面部４１の前端に、前記した上ヒンジ１０Ａのねじ貫通孔１１１ｂと対応する４つのねじ固定孔４１ａが形成されている。また、水平面部４１には、前側の２つのねじ固定孔４１ａと、後側の２つのねじ固定孔４１ａとの間に、位置決め突起４１ｂ，４１ｂが上方に突出して形成されている。また、水平面部４１には、位置決め突起４１ｂ，４１ｂ間に、補強部材４０Ａを天板１ａに固定するためのねじ孔４１ｃが形成されている。また、水平面部４１の後端には、補強部材４０Ａを天板１ａに固定するためのねじ孔４１ｄが形成されている。
【００４８】
また、補強部材４０Ａには、４つのねじ固定孔４１ａの後方に、切欠孔４１ｅが窓状に形成されている。この切欠孔４１ｅは、前記したセンサ収容部１２１（図３（ｂ）参照）を逃げるようにして形成されている。なお、図８では、切欠孔４１ｅが、水平面部４１と垂直面部４２とに渡って形成されているが、切欠孔４１ｅが水平面部４１にのみ形成される構成であってもよい。
【００４９】
また、補強部材４０Ａには、水平面部４１と垂直面部４２との角部に、補強リブ４３が前後方向に間隔を置いて形成されている。補強リブ４３は、角部の外側からくさび状に打ち込まれることで角部の内側にリブが突出して形成される。
【００５０】
図８（ｂ）に示すように、ねじ孔４１ｃ，４１ｄは、水平面部４１の幅寸法Ｗ１の中央線Ｌよりも垂直面部４２寄りに形成されている（中央線Ｌよりも外側に形成されている）。これにより、ねじ孔を内側に形成する場合よりも、補強部材４０Ａを天板１ａに強固に固定できる。
【００５１】
また、ねじ固定孔４１ａも、中央線Ｌに対して垂直面部４２寄りに形成されている。これにより、上ヒンジ１０Ａを、天板１ａを通して補強部材４０Ａにねじ固定したときに、補強部材４０Ａが、上ヒンジ１０Ａを介して天板１ａに強固に固定できる。
【００５２】
図８（ｃ）に示すように、水平面部４１の縁部は、裏面側（天板１ａとは反対側）に向けて折り返す折り返し部４１ｆが形成されている。この折り返し部４１ｆは、水平面部４１の前端から後端にかけて全体に形成されている。また、折り返し部４１ｆの折り返す長さは、折り返した先端が、切欠孔４１ｅ内に突出しない程度に長く形成することが好ましい。これにより、補強部材４０Ａに切欠孔４１ｅを形成することで、切欠孔４１ｅの部分が強度的に弱くなるが、折り返し部４１ｆを形成することで、切欠孔４１ｅの部分の強度が低下するのを防ぐことができる。
【００５３】
図９は、補強部材と真空断熱材との位置関係を示す透視斜視図である。なお、図９では、補強部材４０Ａ，４０Ｂ、天板１ａに設けられる真空断熱材５１、側板１ｂに設けられる真空断熱材５２、側板１ｃに設けられる真空断熱材５３の一部を透視して図示している。また、図９では、上ヒンジ１０Ａ，１０Ｂの図示を省略している。
【００５４】
図９に示すように、補強部材４０Ａは、天板１ａの右端に固定されている。補強部材４０Ａは、前後方向の中央Ｐ１よりも後方まで延びている。換言すると、補強部材４０Ａは、センサ収容部１２１を越えて後方まで延びている。
【００５５】
補強部材４０Ａは、ねじ１１６ａ，１１６ｂを介して天板１ａの内壁面に固定されている。すなわち、補強部材４０Ａの位置決め突起４１ｂ，４１ｂが天板１ａに形成された位置決め孔１ｐ（図２参照）に挿入されることで、補強部材４０Ａが天板１ａの裏面に位置決めされ、ねじ孔４１ｃ，４１ｄ（図８（ａ）参照）と、天板１ａのねじ挿通孔１ｑ，１ｒ（図２参照）が位置決めされる。そして、ねじ１１６ａが、天板１ａに形成されたねじ挿通孔１ｑ（図２参照）に挿通され、ねじ孔４１ｃ（図８（ａ）参照）に螺着される。また、ねじ１１６ｂが天板１ａに形成されたねじ挿通孔１ｒ（図２参照）に挿通され、ねじ孔４１ｄ（図８（ａ）参照）に螺着される。また、補強部材４０Ａが天板１ａの裏面にねじ固定されることで、補強部材４０Ａのねじ固定孔４１ａと、天板１ａに形成されたねじ挿通孔１ｔ（図２参照）とが位置決めされる。このようにして補強部材４０Ａが天板１ａに固定されることで、天板１ａの裏面に水平面部４１が接した状態、かつ、側板１ｂの裏面に垂直面部４２が接した状態で固定される。
【００５６】
そして、上ヒンジ１０Ａが天板１ａに固定される。すなわち、ねじ１１５（図２参照）が、天板１ａに形成されたねじ挿通孔（不図示）に挿通され、補強部材４０Ａのねじ固定孔４１ａに螺着されることで、上ヒンジ１０Ａが天板１ａに固定される。このとき、上ヒンジ１０Ａに形成された長孔１１１ｄ（図３（ｂ）参照）内に位置決め突起４１ｂ，４１ｂおよびねじ１１６ａが位置する（図３（ｂ）参照）。
【００５７】
また、図９に示すように、センサ収容部１２１は、補強部材４０Ａの切欠孔４１ｅ内に配置され、天板１ａに形成された角孔１ｓから突出する。そして、センサ収容部１２１の縁部（つば部）が天板１ａの裏面にシール材（不図示）を介して固定される。
【００５８】
また、天板１ａの裏面（内壁面）には、真空断熱材５１が設けられている。また、側板１ｂ，１ｃの裏面（内壁面）には、真空断熱材５２，５３が設けられている。真空断熱材５１，５２，５３は、その材質は特に限定されないが、一例を挙げると、多孔質構造のグラスウール等の芯材をラミネートフィルムで真空パックして内部を減圧して封止した断熱材から成り、気体熱伝導率が略ゼロであるため、優れた断熱性能を有している。また、真空断熱材５１，５２，５３は、平板状に形成され、天板１ａ、側板１ｂ，１ｃの裏面側に接着固定されている。
【００５９】
ところで、真空断熱材５１は、芯材を袋に収納するので、袋に傷が付くと、袋内部の真空状態が損なわれる。補強部材４０Ａの鉄板のバリ（端面）に袋が触れると傷つきやすいので、真空断熱材を鉄板の縁（バリ）を避けて配置することが一般的に行われている。本実施形態では、補強部材４０Ａの水平面部４１に折り返し部４１ｆ（図８（ｃ）参照）が形成されているので、真空断熱材５１を近接または接触させて配置したとしても、真空断熱材５１が傷つくことがない。これにより、真空断熱材５１の設置面積を大きくできるので、冷蔵庫１００の断熱性能を向上できる。このように、補強部材４０Ａに折り返し部４１ｆを形成することで、補強部材４０の強度向上と真空断熱材５１の設置面積の拡大を両立することができる。
【００６０】
なお、補強部材４０Ａに折り返し部４１ｆを設ける構成に替えて、水平面部４１の縁部にアルミニウム製などのテープを縁部に沿って貼り付けるようにしてもよい。これにより、真空断熱材５１を補強部材４０Ａに近接または接触させて配置できるので、真空断熱材５１の設置面積の拡大を図ることができる。
【００６１】
また、本実施形態では、補強部材４０Ａが、水平面部４１と垂直面部４２とでＬ字状に形成され、垂直面部４２の幅寸法Ｗ２（図８（ａ）参照）が、水平面部４１の幅寸法Ｗ１（図８（ａ）参照）よりも短く形成されている。これにより、側板１ｂに設けられた真空断熱材５２を側板１ｂの上端近傍まで延ばして配置できるので、真空断熱材５２の設置面積を大きくでき、冷蔵庫１００の断熱性能を向上できる。ちなみに、発明者らが実験により検討したところ、補強部材４０Ａの垂直面部４２の幅寸法Ｗ２を広くしたとしても、扉（冷蔵室右扉３）のずれを抑える効果には大きく寄与しないことが見出された。
【００６２】
なお、前記した説明では、冷蔵室右扉３側の補強部材４０Ａについて説明したが、左側の補強部材４０Ｂは補強部材４０Ａと左右対称に構成されているので、補強部材４０Ｂについての説明は省略する。よって、補強部材４０Ｂについても、補強部材４０Ａと同様な効果を得ることができる。
【００６３】
図１０は、図１のＤ−Ｄ断面図である。
図１０に示すように、冷蔵室左扉２の中央側端縁２ａ近傍には、冷蔵室左扉２と冷蔵室右扉３が閉じた際に、隙間ｓを閉塞する回転仕切体６０が、鉛直方向の軸周りに回転自在に軸支されている。回転仕切体６０は冷蔵室左扉２の扉内板２ｂの突出部２ｃの側壁２ｄに対して、ヒンジ６１を介して回動軸６２を中心に回動自在に取り付けられている。
【００６４】
回転仕切体６０は、冷蔵室左扉２、冷蔵室右扉３の冷蔵室側にそれぞれ配置されるガスケット６３ａ，６３ｂの受け面を構成する。ガスケット６３ａ，６３ｂは、庫内を密閉するためのゴム製の部品である。すなわち、図１０に示すように、回転仕切体６０は冷蔵室左扉２が閉塞しているときには、実線の位置にあり、庫内をシールする。一方、冷蔵室左扉２が開いているときには、弾性手段６４の弾性力で付勢されて回動して、二点鎖線の位置にある。
【００６５】
弾性手段６４はねじりコイルばねであり、回転仕切体６０と扉内板２ｂの突出部２ｃとの間に取り付けられ、回転仕切体６０を前側に付勢している。そして、冷蔵室左扉２が閉じた際の回転仕切体６０が図１０の実線の位置のときには、回転仕切体６０をガスケット６３ａ，６３ｂ側に付勢する。これにより、冷蔵室の内部は、冷蔵室左扉２と冷蔵室右扉３ｂと、回転仕切体６０とで、密閉状態となり、冷気の外部への漏出が防止される。
【００６６】
図１０に示すように、冷蔵室左扉２と冷蔵室右扉３とが閉じた場合、隙間ｓから回転仕切体６０の一部が外部に露出する。ここで、冷蔵室内は、冷蔵温度帯に冷蔵され、冷蔵庫１００の外部空間は外気温の状態にあり、回転仕切体６０の内部側が冷蔵温度であり、外側が外気温度である。そのため、夏等の外部空間が高温の場合には、庫内と庫外との温度差が大きく、回転仕切体６０が断熱構造または外気温に近い温度でない場合、回転仕切体６０の露出部周りに露付きが発生する。
【００６７】
そこで、回転仕切体６０は以下の構成としている。図１１は、回転仕切体を示し、（ａ）は外観斜視図、（ｂ）は回転仕切体の蓋を取り外した状態を示す斜視図である。
図１１（ａ）に示すように、回転仕切体６０は、樹脂製のケース６５と、薄い鋼板製の当て板６６と、ヒータ６７と、真空断熱材６８と、が組み合わされて構成されている。ケース６５は、低い高さの長形の箱形状に成形されている。当て板６６は、ケース６５に蓋をする板形状である。
【００６８】
図１１（ｂ）に示すように、当て板６６の内面には、ヒータ６７が粘着テープ等で取着されている。ヒータ６７は、当て板６６の長手方向の全面に配置されている。また、ヒータ６７の表面はアルミ箔６９が取り付けられ覆われている。アルミ箔６９は、ヒータ６７の熱を拡散して当て板６６に広く伝熱する役割を果たす。なお、ヒータ６７には配線ケーブル７０が接続され、回転仕切体６０の外部に延びている。また、ケース６５内には、真空断熱材１５が収容され、回転仕切体６０の断熱を行っている。
【００６９】
ここで、前記した冷蔵室右扉３の上ヒンジ１０Ａは、後記する扉脱落防止構造を有するが、冷蔵室左扉２の上ヒンジ１０Ｂは、かかる扉脱落防止構造を有しない。すなわち、本実施形態では、冷蔵庫１００は、冷蔵室左扉２にヒータ６７を備えた回転仕切体６０（図１０および図１１参照）を有し、当該ヒータ６７の基板等から伸びる配線ケーブル７０（図１２参照）が冷蔵室左扉２の内部に配線され、上ヒンジ１０Ｂの上ヒンジピン１１０（図１２参照）の軸芯を通って冷蔵庫本体１の天板１ａまで引き延ばされた構成を採用している。この構成により、冷蔵室左扉２については、当該配線ケーブル７０（図１２参照）が上ヒンジピン１１０に引っ掛かって冷蔵室左扉２の脱落を防止する。勿論、冷蔵室左扉２に電気部品を搭載しない場合には、冷蔵室右扉３の上ヒンジ１０Ａと同様の扉脱落膨構造を冷蔵室左扉２に適用してもよい。
【００７０】
図１２は、本実施形態に係る冷蔵庫の冷蔵室左扉の上ヒンジの構造を示す一部切欠断面斜視図である。なお、上ヒンジ１０Ｂは、前記した上ヒンジ１０Ａと左右対称な形状であり、上ヒンジ１０Ａと同様な上ヒンジピン１１０を有している。
【００７１】
図１２に示すように、上エンドピース３３には、上ヒンジピン１１０を収容する円筒形のヒンジピン収容部３１２が形成されている。このヒンジピン収容部３１２は、平板部３１１の上面から上方に突出する円形突出部３１２ａと、平板部３１１の下面から下方に延出する円筒部３１２ｇと、を備える。なお、上エンドピース３３には、前記した上エンドピース３１に設けられていたねじボス３１２ｃ（図４（ｂ）参照）などは設けられていない。よって、ヒンジピン収容部３１２は、鉛直方向に貫通して形成されている。このヒンジピン収容部３１２内に配線ケーブル７０が通される。そして、配線ケーブル７０は、上ヒンジ１０Ｂ上を通って、コネクタ収容部１２２（収容部）まで配設される。また、配線ケーブル７０の先端には、コネクタ７１が接続されている。このコネクタ７１は、天板１ａに設けられた制御装置８０（図９参照）から延びる配線８１（図９参照）のコネクタ（不図示）とコネクタ収容部１２２内で接続される。
【００７２】
以上説明したように、本実施形態では、冷蔵庫本体１が、上ヒンジ１０Ａ，１０Ｂを冷蔵庫本体１の天板１ａに固定する金属製の補強部材４０Ａ，４０Ｂを有し、補強部材４０Ａ，４０Ｂが天板１ａの前後方向の中央Ｐ１よりも後方まで延びている（図９参照）。これにより、冷蔵室左扉２と冷蔵室右扉３に作用する荷重によって、冷蔵室左扉２、冷蔵室右扉３が変形するのが抑えられ、冷蔵室左扉２と冷蔵室右扉３との間で段差（ずれ）が生じるのを抑えることができる。このような段差を抑えることができることで、意匠性（外観上の美観）を高めることができる。
【００７３】
また、本実施形態では、冷蔵庫本体１が、上ヒンジ１０Ｂを当該冷蔵庫本体１の天板１ａに固定する金属製の補強部材４０Ｂを有している。天板１ａには、配線ケーブル７０のコネクタ７１が収納されるコネクタ収容部１２２が設けられ、補強部材４０Ｂは、コネクタ収容部１２２を越えて後方まで延びている。これにより、冷蔵室左扉２と冷蔵室右扉３が変形するのが抑えられ、冷蔵室左扉２と冷蔵室右扉３との間で段差（ずれ）が生じるのを抑えることができる。このような段差を抑えることができることで、意匠性（外観上の美観）を高めることができる。
【００７４】
また、本実施形態では、補強部材４０Ａは、天板１ａに沿って水平に配置される水平面部４１と、冷蔵庫本体１の側板１ｂに沿って配置される垂直面部４２と、を有している。水平面部４１の左右方向の幅寸法Ｗ１は、垂直面部４２の高さ方向の幅寸法Ｗ２よりも長く形成されている。また、水平面部４１には、補強部材４０Ａを固定するねじ孔４１ｃ，４１ｄが形成されている。このように水平面部４１のみにねじ孔４１ｃ，４１ｄが形成されることで、ユーザから視認し易い側板１ｂにはねじ頭がなく、ユーザから視認し難い天板１ａにねじ頭が位置するので、冷蔵庫１００の意匠性（外観上の美観）を高めることができる。
【００７５】
以上、本実施形態について図面を参照しながら説明したが、本実施形態は前記の内容に何ら限定されるものではない。したがって、本発明には、様々な変形例が含まれる。すなわち、前記の実施形態は本発明をわかりやすく説明するために詳細に説明したものであり、必ずしも説明したすべての構成を備えるものに限定されるものではない。
【００７６】
例えば、本実施形態では、補強部材４０Ａ，４０Ｂを冷蔵庫１００の左右両側に適用した場合を例を挙げたが、いずれか一方のみに適用してもよい。
【００７７】
また、前記した実施形態では、補強部材４０Ａ，４０Ｂに切欠孔４１ｅが形成された構成を例に挙げて説明したが、センサ収容部１２１を必要としないもの、コネクタ収容部を必要としないものであれば、切欠孔４１ｅを塞いでもよい。
【符号の説明】
【００７８】
１    冷蔵庫本体
１ａ  天板
１ｂ，１ｃ  側板
２    冷蔵室左扉（第一の回転扉、扉）
３    冷蔵室右扉（第二の回転扉、扉）
９，１１  下ヒンジ
１０Ａ，１０Ｂ  上ヒンジ（ヒンジ）
３１，３３  上エンドピース
３２  サイドピース
４０Ａ，４０Ｂ  補強部材
４１  水平面部
４１ａ  ねじ固定孔
４１ｂ  位置決め突起
４１ｃ，４１ｄ  ねじ孔
４１ｅ  切欠孔
４１ｆ  折り返し部
４２  垂直面部
４３  補強リブ
５１，５２，５３  真空断熱材
６０  回転仕切体
６７  ヒータ
７０  配線ケーブル（電線）
７１  コネクタ
１００  冷蔵庫
１１０  上ヒンジピン
１２１  センサ収容部（収容部）
１２２  コネクタ収容部（収容部）
【図１】
2019100649.tif 000003
【図２】
2019100649.tif 000004
【図３】
2019100649.tif 000005
【図４】
2019100649.tif 000006
【図５】
2019100649.tif 000007
【図６】
2019100649.tif 000008
【図７】
2019100649.tif 000009
【図８】
2019100649.tif 000010
【図９】
2019100649.tif 000011
【図１０】
2019100649.tif 000012
【図１１】
2019100649.tif 000013
【図１２】
2019100649.tif 000014